(57)【特許請求の範囲】
【請求項１】
筒状の周壁を有するコア内に巻線が収納されてなる検出コイルと、検出コイルと接続される電気回路基板とを収容する，プラスチックの成形による上面が開放されたケースが側壁の一部を平坦に形成されるとともにケースの底面から前記平坦な側壁と平行に上方へ延びる棒状あるいは板状の検出コイル支えを有し、検出コイルのコアをケースの前記平坦な側壁と検出コイル支えとの間に挿入することにより検出コイルがケース内に保持される近接スイッチにおいて、
検出コイル支えと対面する側のコアの端面に凹部を設けるとともに、前記ケースの底面の，検出コイル支えの基部近傍に孔を設け、検出コイル支えに設ける突起を検出コイル支え本体と一体に成形可能とし、この突起をコアの凹部に凹部の自動調心が行われるように押圧させて検出コイルの保持を行うことを特徴とする近接スイッチ。
【請求項２】
請求項１に記載のものにおいて、ケースの底面の孔を、底面の下面に銘板を当てて塞いだことを特徴とする近接スイッチ。
【発明の詳細な説明】
【０００１】
【発明の属する技術分野】
この発明は、検出コイルと電気回路基板とをケース内に収容してなる近接スイッチにおける検出コイルの保持構造に関し、より詳しくは、筒状の周壁を有するコア内に巻線が収納されてなる検出コイルと、検出コイルと接続される電気回路基板とを収容する，プラスチックの成形による上面が開放されたケースが側壁の一部を平坦に形成されるとともにケースの底面から前記平坦な側壁と平行に上方へ延びる棒状あるいは板状の検出コイル支えを有し、検出コイルのコアをケースの前記平坦な側壁と検出コイル支えとの間に挿入することにより検出コイルがケース内に保持される近接スイッチにおいて、検出を高精度にかつばらつき少なく行うことができるようにするための検出コイルの保持構造に関する。
【０００２】
【従来の技術】
図３に従来のこの種近接スイッチの構造例を示す。図において、１は検出コイル４と電気回路基板５とを収容するケースであり、プラスチックの成形により形成され、上面が開放されてケース内への検出コイル４，電気回路基板５の収納と、ケース内でのこれら両者の電気的接続ならびに電気回路基板と引出しケーブル７との電気的接続を可能にしている。ケース１は引出しケーブル７と反対側の側壁１ａが平坦に形成され、また底面１ｂからは平坦な側壁１ａと平行に上方へ角棒状の検出コイル支え３が延び、検出コイル４は側壁１ａの内側の面に形成された，底の浅い幅広の溝の底面と検出コイル支え３との間に挿入されてケース内に保持されている。また、側壁１ａの外側の面には検出中心位置が検出面マーク２により表示されている。なお、６はエポキシ樹脂であり、検出コイル４，電気回路基板５のケース１内への収納，引出しケーブル７のケース内への挿入ならびに電気回路基板５との電気的接続終了後、これら部材のケース１内の固定，防湿を目的として注入，固化されたものである。
【０００３】
【発明が解決しようとする課題】
このように構成される近接スイッチでは以下の問題点があった。すなわち、周壁が円筒状に形成される検出コイルのコアは、高周波領域での損失パワーを少なくするために金属粉体の圧縮成形によるもの、一般には通常フェライトコアが用いられる。フェライトはＦｅ２  Ｏ３  を主成分とする高周波鉄心材料であり、Ｆｅ２  Ｏ３  の粉末にＣｕ，Ｎｉ，Ｍｎ，Ｚｎ，Ｃｏ，Ｂａ，Ｍｇなどの２価の金属酸化物の粉末を１種類あるいは数種類混合し、適当な処理を施した後、圧縮成形したもので、抵抗率は半導体や絶縁物と同程度の１０〜１０８  Ωｍと高く、高周波でも渦電流損が小さくマイクロ波領域まで使用が可能である。しかし、材質が硬くてもろく、圧縮成形後、寸法精度を出すための研削加工等は行われないのが普通であり、圧縮成形時に金型に充填する粉末の量を高精度に一定に保っても、占積率（圧縮成形品の単位体積中に占める粉末の実体積の割合）のばらつき等から圧縮成形後の寸法がばらつき、このばらつきがかなり大きくなるのが実情である。一方、コアを挿入するケース側壁の溝の底面と検出コイル支えとの間の間隔寸法は、すべてのコアを挿入できるように設定がなされるため、コアをケース側壁の溝の底面に密着させて挿入したとき、コアと接点支えとの間に隙間が生じる場合があり、検出コイルを常に決められた位置にかつ上下左右の傾きを生じることなく保持することが困難であった。
【０００４】
本発明の目的は、コアの寸法にばらつきがあっても検出コイルを常に決められた位置に不動に保持することのできる検出コイルの保持構造を提供することである。
【０００５】
【課題を解決するための手段】
上記課題を解決するために、本発明においては、冒頭記載の構成による近接スイッチすなわち、筒状の周壁を有するコア内に巻線が収納されてなる検出コイルと、検出コイルと接続される電気回路基板とを収容する，プラスチックの成形による上面が開放されたケースが側壁の一部を平坦に形成されるとともにケースの底面から前記平坦な側壁と平行に上方へ延びる棒状あるいは板状の検出コイル支えを有し、検出コイルのコアをケースの前記平坦な側壁と検出コイル支えとの間に挿入することにより検出コイルがケース内に保持される近接スイッチにおける検出コイルの保持構造を、請求項１に記載のごとく、検出コイル支えと対面する側のコアの端面に凹部を設けるとともに検出コイル支えのコア側の面に突起を設け、この突起をコアの凹部に凹部の自動調心が行われるように押圧させて検出コイルの保持を行う保持構造とし、前記ケースの底面の，検出コイル支えの基部近傍に孔を設け、前記検出コイル支えに設ける突起を検出コイル支え本体と一体に成形可能とすれば極めて好適である。
【０００６】
そして、さらに、請求項２に記載のごとく、上記ケース底面の孔を、底面の下面に銘板を当てて銘板で塞ぐようにすれば極めて好適である。
【０００７】
以下、上記各手段の作用につき説明する。
検出コイルの保持構造を上記の構造とすると、検出コイルの保持は、ケースの平坦な側壁と検出コイル支えの突起との間にコアを圧入することにより行われ、かつコアはその凹部により自動調心的に位置決めされるため、検出コイルは決められた位置にかつ上下左右の傾きを生じることなく不動に保持される。
【０００８】
そして、上記保持構造形成のために、ケース底面の検出コイル支え基部近傍に孔を設けると、この孔が検出コイル支えの突起の一体成形のための金型の出し入れ口となり、全体の型構造を複雑化することなく突起を半球状にも円錐台状にも形成することができる。
また、上記ケース底面の孔を下方から銘板で塞ぐようにすると、ケース内への部材の収納，挿入と各部材間の電気的接続終了後のケース内への充填樹脂注入時の洩れを余分な部材を用いることなく防止することができる。
【０００９】
【発明の実施の形態】
本発明は、検出コイルの保持構造を、検出コイルのコアの凹部に検出コイル支えの突起を凹部の自動調心が行われるように押圧させて検出コイルの位置決めを行うようにするものであるので、その実施形態は図１および図２のように示される。ここで図１はこの保持構造を含む近接スイッチ全体の側面断面図であり、図２は斜視図である。また、この実施形態では、上記凹部および突起の形状の一実施例としてそれぞれ円錐面および半球面としている。凹部と突起との各形状は、突起を凹部に押圧したときに凹部が自動調心的に移動できるものであればよいので、例えばそれぞれ中空円筒および円錐台とすることもできる。なお、図１および図２では、図３と同一部材には同一符号が付されている。
【００１０】
ケース１を図１，図２のように形成すると、ケース１の底面には孔８が設けられているので、ケース１の成形時にこの孔８から金型を挿入することにより、検出コイル支え３本体に突起３ａを一体に成形することができる。
検出コイル４のケース１内の保持は、コア４ａをケース１の側壁１ａと検出コイル支え３の突起３ａとの間に圧入することにより行われる。
【００１１】
【発明の効果】
本発明では、冒頭記載の構成による近接スイッチにおける検出コイルの保持構造を以上の構造としたので、以下に記載する効果が得られる。請求項１記載の保持構造では、検出コイルの保持が、ケースの平坦な側壁と検出コイル支えの突起との間にコアを圧入することにより行われ、かつコアはその凹部により自動調心的に位置決めされるため、検出コイルは決められた位置に、かつ上下左右の傾きを生じることなく不動に保持され、ケース外面に表示されている検出面マークの中心と、検出コイルの中心とが一致して常に高精度な近接スイッチを得ることができるとともに、ケースの底面に孔を設けたので、この孔から金型を挿入することができ、全体の型構造を複雑化することなく検出コイル支えに所望の形状や大きさの突起を検出コイル支えと一体に成形することができ、検出コイルの保持構造を容易に実現させることができる。
【００１２】
請求項２記載のものでは、ケース内への部材の収納，挿入と部材間の電気的接続終了後のケース内への充填樹脂注入時に充填樹脂の洩れを余分な部材を用いることなく防止することができ、近接スイッチのコスト上昇を抑えることができる。
【図面の簡単な説明】
【図１】本発明による検出コイル保持構造の実施形態を、検出コイルのコアの凹部ならびに検出コイル支えの突起の各形状の一実施例を用いて示す近接スイッチ全体の側面断面図
【図２】図１に示した近接スイッチの斜視図
【図３】本発明が対象とした近接スイッチの従来の構造例を示す側面断面図
【符号の説明】
１    ケース
１ａ  側壁
１ｂ  底面
３    検出コイル支え
３ａ  突起
４    検出コイル
４ａ  コア
５    電気回路基板
８    孔
９    銘板
【図１】
0003549303.tif 000002
【図２】
0003549303.tif 000003
【図３】
0003549303.tif 000004